(57)【要約】      （修正有）【課題】多角形形状で、格子の組子模様にして、多角形体の角の一箇所を照明の光源にして、前記光源から放される光を周辺の壁面に照明できる組子格子面を持つ型照明装置を提供する。【解決手段】多角形の形状の照明器具の装飾側面において、当該側面の１〜９面に格子の組子模様３に、残り他面に彫り物板、或はデザイン性を持たせた格子を並べた板にして、多角形体の内部に照明の光源を置いて、前記光源から放される光を周辺の照明できるような構造になって、多角形形状は、縦、横、高さの長さがそれぞれ２００〜１８００ｍｍであって、幅０．６〜１５ｍｍの樹脂製、又は木製、金属製の格子を組み立てた、曲り模様、並びに幾何学模様の格子組子体２をもって、多角形形状の各１〜９面に同一、又は異質の前記模様３の組子体を組み入れている。【選択図】図１
0003203991.tif 000002
【実用新案登録請求の範囲】
【請求項１】
多角形の形状の照明器具であって、１〜９面に格子の組子模様に、残り他面に彫り物板、或はデザイン性を持たせた格子を並べた板にして、多角形体の内部に照明の光源にして、前記光源から放される光を周辺の照明できるような構造になって、多角形形状は、縦、横、高さの長さをそれぞれ２００〜１８００ｍｍであって、幅０．６〜１５ｍｍの樹脂製、又は木製、金属製の格子を組み立てた、曲り模様、並びに幾何学模様の格子組子体をもって、多角形形状の各１〜９面に同一、又は異質の前記模様の組子体を組み入れていることを特徴とする組子格子面を持つ型照明装置。
【請求項２】
放出される光を周辺の照明できるような構造として、照明の光源は発光性の高い、ＬＥＤ，白熱電球、蛍光電球から選ばれたものであって、多角形状体の内部に当該光源を取り付けて、当該装置を、部屋、ロビー、廊下、手洗い場に置いて、飾り照明、又はスタンド、又は室内照明として、吊り下げ型、又は壁掛け型、又はスタンド式設置型で使用できるようにして、照明の光源によって放出される光を周辺の照明は、多角形状体の中心上に光源を設置していることを特徴とする請求項１に記載の組子格子面を持つ型照明装置。
【請求項３】
格子組子体は、曲り模様、並びに幾何学模様であって、曲り模様として、１５〜３６０°の角度の屈曲させた組子形態である花の花びら様で、また幾何学模様として、麻の葉（真金、又は桐）模様、胡麻殻（亀甲）模様、桜（亀甲）模様、植江模様、紗綾形崩し模様、井筒割菱模様、割菱つなぎ模様、三重菱模様、千本格子模様、升格子模様、青海波模様、七宝模様の中から選ばれた１〜６種類で、多角形状体の照明装置の１〜９面にそれぞれ組み込まれて、多角形状体として三角体、四角体、五角体、六角体、八角体から選ばれた立体形状体であることを特徴とする請求項１又は請求項２に記載の組子格子面を持つ型照明装置。
【請求項４】
組子格子面を持つ型照明装置の１〜９面にそれぞれ組み込まれている、０．６〜１０ｍｍの木製格子を組み立てた、曲り模様、並びに幾何学模様の技巧的格子組子体は、破損、または埃の付着防止のために、０．３〜５ｍｍの透明性のガラス、又は樹脂によって保護されて、組子を嵌め込まれていない他の多角形状面においては、特徴ある木目を持たせ装飾性木製板、あるいは彫刻を彫り込んでいる木製板を１〜７面にしていることを特徴とする請求項１〜請求項３のいずれかに記載の組子格子面を持つ型照明装置。
【考案の詳細な説明】
【技術分野】
【０００１】本考案は、多角形状体の１〜９面に格子の組子模様にして、前記光源から放される曲り模様、並びに幾何学模様の格子組子形状を映えている、多角形形状装飾性組子格子面を持つ型照明装置に関する。
【背景技術】
【０００２】  組子を使用した照明装置は既に採用されている。しかし、長方体、球形であって、しかも装飾性を増すために、和紙、或はプリントされた樹脂シートなどが貼られており、光源による投影などの効果をもたらしていない。また透明な化粧材として、銘木の突板（天然木単板）を例えば透明ガラス製の内部に埋設した化粧材が開発、利用された照明装置も存在している（特許文献１参照）。しかし、この種の照明装置の表面は、一般に表裏面の光沢や艶に欠ける他、光や熱に対して劣化し易く、耐候性や耐熱性等が不十分であるという欠点を有していた。【０００３】  また、この照明装置の表面は、従来より、所定厚の突板を浅底容器内の溶融樹脂の中へ埋め入れ、その後樹脂を固化させる方法により通常製造されて、カッティングシートを切り抜いて貼着パターンを表示担体に形成する工法において、より少ないサンプル数でより多彩な色彩表現を可能にしているが、投影的な効果は齎せていない。【０００４】  明かりをつけたときは，円形の隙間から放出されて出る光の影を楽しみ，使用していないときは，部屋のインテリアとしてもよいデザインの照明器具を提供するもので、長方形の断面を有する棒状の木材の短部を上面にして，一定間隔に軸方向にたいして適宜の角度を有する複数の溝を設け，その溝と溝との間に表面と裏面から半円形の切削部を設け，前期棒状木材の複数個を任意形状に組み込み，その表面及び裏面に半円形状の切削部が円形となるように形成し，組手に対応した形状の内枠及び外枠を設け，全体を任意形状に組み立て，外枠の下部の各先端部に足部を設け，外枠の中央部にソケットを介して電球を設け，台に取り付けたものが提案されている（特許文献３参照）。【０００５】部屋数が少なく狭い間取りの多い日本の住宅事情をふまえ、襖を閉じた暗い部屋に、ほのかな採光を取り入れ、間接照明に似た照明効果を演出する襖であって、下張りを組子単位でその枠内を切り抜き、白い和紙で下張り袋張りをし、上張りをして仕上げる等の方法により採光を部屋に取り入れ、更に切り抜きを多彩にアレンヂ出来ることから、従来の一般的な襖のイメージを一新し全く違った採光襖を造りだしたものが提案されている（特許文献４参照）。【０００６】照明器具としてキュービック形状で、格子の組子模様にして、キュービック体の角の一箇所に照明の光源にして、照明の投影で組子の模様によるシルエット模様を周囲に演出でるようにし、特有の格調を示す投影式組子付キュービック型照明装置を提供するために、キュービック形状であって、各６面に格子の組子模様３にして、キュービック体の角の一箇所に照明の光源にして、前記光源から放される光を周辺の壁面に投影できるような構造体が提供されている（特許文献５参照）。しかし木製の格子を使用した特殊組子を構成した多角形形状体などで組子形状を照明装置は存在していない。
【先行技術文献】
【０００７】
【特許文献１】特公平８−１５５７０号公報
【特許文献２】特願平８−２６６４８１号公報
【特許文献３】特開２００１−２１６８１１号公報
【特許文献４】登録実用新案第３０６２２３０号公報
【特許文献５】登録実用新案第３１９２２７２号公報
【考案の概要】
【考案が解決しようとする課題】
【０００８】組子を使用した照明装置は既に採用されている。しかし、長方体、球形であって、しかも装飾性を増すために、和紙、或はプリントされた樹脂シートなどが貼られており、装飾性などの効果をもたらしていない。一方商店、会場、部屋などの雰囲気作りに、照明器具の表面に組子模様の格子を貼り、内面には照明によって浮き出るようにした特徴ある組子模様を配置し、照明の投影で組子の模様によるシルエット模様を周囲に演出でるような照明を得ることが求められているものもあり、本来の照明器具として適していない場合もある。【０００９】さらに、照明における目的は、室内、店舗、室外、廊下、フロントなどの数種のデザイン性看板、装飾板になって、格子組子の木理を著しく鮮明に視認することができ、かつ組子に対して形状における平行な表面を有する等、上記の種々の組子模様によって、光を投光することによって組子の模様と形状が得られた照明からの外表面での特性装飾を有し、従来品に無い特有の格調を有する木製の多角形型照明装置を提供することにある。
【課題を解決するための手段】
【００１０】多角形の形状の照明器具であって、１〜９面に格子の組子模様に、他面に彫り物板、或はデザイン性を持たせた格子を並べた板にして、多角形体の内部に照明の光源にして、前記光源から放される光を周辺の照明できるような構造になって、多角形形状は、縦、横、高さの長さをそれぞれ２００〜１８００ｍｍであって、幅０．６〜１５ｍｍの樹脂製、又は木製、金属製の格子を組み立てた、曲り模様、並びに幾何学模様の格子組子体をもって、多角形形状の各１〜９面に同一、又は異質の前記模様の組子体を組み入れている組子格子面を持つ型照明装置である。【００１１】放出される光を周辺の照明できるような構造として、照明の光源は発光性の高い、ＬＥＤ，白熱電球、蛍光電球から選ばれたものであって、多角形状体の内部に当該光源を取り付けて、当該装置を、部屋、ロビー、廊下、手洗い場に置いて、飾り照明、又はスタンド、又は室内照明として、吊り下げ型、又は壁掛け型、又はスタンド式設置型で使用できるようにして、照明の光源によって放出される光を周辺の照明は、多角形状体の中心上に光源を設置している。【００１２】格子組子体は、曲り模様、並びに幾何学模様であって、曲り模様として、１５〜３６０°の角度の屈曲させた組子形態である花の花びら模様や蝶で、また幾何学模様として、つぎのようなものを挙げることができる。
＊真矩組子（角麻の葉・桐・升つなぎ・亀甲つなぎ・井桁・真矩胡麻殻・蜀江・二重蜀江          ・八角つなぎ・松葉つなぎ・松葉くずし・桐・一重香図・二重香図・三重香図          ・変わり香図・曲げ香図・二十曲げ香図・三重曲げ香図）
＊菱もの  （一重菱・二重菱・三重菱・子持菱・業平菱・一重割菱・二重割菱・三重割菱          ・一重割つなぎ・菱井筒つなぎ・井筒割菱・業平割菱つなぎ・割菱つなぎ・網          代万字・菱香図・紗綾形崩し）
＊松川菱  （松川とんぼ・菱とんぼ・平菱とんぼ・菱とんぼ蜀江）
＊三つ組手  麻の葉（八重麻の葉・二重麻の葉・枯梗麻の葉・弁天麻の葉・唐麻の葉）
角亀甲（三重角亀甲・亀甲絣り）
亀甲物（胡麻殻亀甲・桜亀甲・裏花亀甲・八重桜亀甲・八重裏花亀甲・弁天                    亀甲・弁天三重亀甲・唐花亀甲・表亀甲・重ね輪胴・梅鉢亀甲）
篭目  （本捻子組・本かごめ・目つぶし篭目）
＊七宝物  （輪違い組・二重木瓜・青海波）
＊折物    （万字つなぎ・菱万字・面取り万字崩し・面取り菱万字）【００１３】万本格子、升格子などこの様な中から選ばれた１〜６種類で、多角形状体の照明装置の１〜９面にそれぞれ組み込まれて、多角形状体として三角体、四角体、五角体、六角体、八角体から選ばれた立体形状体である。【００１４】組子格子面を持つ型照明装置の１〜９面にそれぞれ組み込まれている、０．６〜１５ｍｍの木製格子を組み立てた、曲り模様、並びに幾何学模様の技巧的格子組子体は、破損、または埃の付着防止のために、０．３〜５ｍｍの透明性のガラス、又は樹脂によって保護されて、組子を嵌め込まれていない他の多角形状面においては、特徴ある木目を持たせ装飾性木製板、あるいは彫刻を彫り込んでいる木製板を１〜７面にしている。
【考案の効果】
【００１５】本考案の組子組立多角形状体型照明装置は、木製の形状で、従来品には無い特有の格調や趣きを有する。しかも、かかる特性は、組子形状で照明器具の面より光を当てて見れば、それ自身独自の様相になり、また神秘的な、或は幻想的な照明が周囲に、壁面に映し出される。一般の照明装置にはない明かりをもたらせている。【００１６】  組子の模様が種々あり、それの組み合わせで、種々の格子組子の組み合わせによる照明によって非常に多種になって興味が引かれる。部屋自身の装飾になって明るくなる。特に曲り模様、並びに幾何学模様の技巧的格子組子体は、精神的な癒しをもたらし、日本本来の古式豊かの趣を与えてくれる。【００１７】  商業の場所にも、ホテルの廊下などの通路に設置して、顧客に関心を高める道具になる。組子の格子を抜いたところが光を通し鮮やかに映し出される。通常の照明器具の中からこぼれる漏光模様は、特殊な立体的投影を与えて、周囲が光って浮き出したように見える。
【図面の簡単な説明】
【００１８】
【図１】  組子格子面を持つ四角形型照明装置（スタンド型）の図  Ａ：斜視図  Ｂ：正面図
【図２】  多角形型照明装置の表面での格子組子、並びに彫り込んでいる木製板の状態図  Ａ：曲り模様  花組子（イ）、白梅（ロ）  Ｂ：幾何学的模様Ｉ  八重桜（ハ）、桐麻の葉（ニ）  Ｃ：彫刻の彫り込み板（切透かし）
【図３】  組子格子面（二面）と彫刻面（二面）を持つ四角形型照明装置の斜視図
【図４】  組子格子面と彫刻面を持つ六角形型照明装置の斜視図
【図５】  廊下に照明として使用されている状態の図
【考案を実施するための形態】
【００１９】本考案は、図１は組子格子面を持つ四角形型照明装置（スタンド型）の図、図２は多角形型照明装置の表面での格子組子、並びに彫り込んでいる木製板の状態図であり、図３、４は、特殊な組子格子面（二面）と彫刻面（二面）を持つ四角形型照明装置の斜視図と組子格子面と彫刻面を持つ六角形型照明装置の斜視図である。また図５は、実際に廊下に照明として使用されている状態の図である。次に実施例において本考案をさらに詳細に説明するが、本考案の組子組立多角形体型照明装置（スタンド型）の組子模様はこれに限定されない。
【実施例１】
【００２０】図１に示すように、四角形体の形状・寸法は、縦２００ｍｍ、横２００ｍｍ、高さ４００ｍｍの長さであって、幅２．１ｍｍの木製の格子を使用して組み立てた麻の葉の幾何学模様組子をもって、四角形体の各４面に同一の組子模様を施した。【００２１】組子は、図２のような幾何学模様を持つ二重麻の葉模様と八重桜模様で、四角形体の四面にそれぞれ組み込み、照明の光源の白熱電球からの放出される光によって周囲を明るくすることと、装置の表面形状からの組子模様の反映できるような構造であって、四角形体の内部に当該光源を取り付けて、該装置を、部屋、廊下などの足場の設置型で使用できるようにしている組子付四角形体型照明装置にした。【００２２】四角形の形状であって、４面に格子の組子模様にして、四角形体の内部に照明の光源にして、前記光源から放される光を周辺の照明できるような構造になって、四角形形状は、縦２００ｍｍ、横２００ｍｍ、高さ４００ｍｍであって、幅２ｍｍの木製の格子を組み立てた組子模様をもって、四角形形状の４面に二種類の組子模様を施して、光の反映効果を一層に引き立たせた。【００２３】放出される光を周辺の照明できるような構造として、照明の光源は白色の温和な光を放つ白熱電球であって、四角形状体の内部に当該光源を取り付けて、当該装置を、飾り照明として使用できるようにして、照明の光源によって放出される光を周辺の照明は、四角形状体の中心上に光源を設置して、部屋内の足元の光をもたらした。
【実施例２】
【００２４】図３に示すように、組子格子面（二面）と彫刻面（二面）を持つ四角形型照明装置は、一辺１００ｍｍ、高さ５００ｍｍであって、幅５ｍｍの木製の格子を組み立てた組子模様をもって、四角形型照明装置二面に麻の葉模様の組子模様を施し、２面に彫刻を施した板材を使用した。【００２５】組子は、４面体形状の２面の格子面と２面の彫刻施した板面を交互に配置して、図２Ａに示すような麻の葉模様格子面を入れて、四角形型照明装置と天板の１面にそれぞれ模様板を組み込んだ。放出される光を周辺に投影できるような構造としての照明の光源は、発光性の高いＬＥＤであって、４角形型照明装置の中心部に当該光源を取り付けて、該装置を、飾り照明として、置型で使用できるようにしている組子彫刻４角形型照明装置であった。【００２６】照明の光源によって放出される光を部屋、会場の隅に置かれて周辺に照明を与えて、部屋の装飾と併せて、雰囲気を高感度にもたらせた。
【実施例３】
【００２７】図４の組子格子面と彫刻面を持つ六角形型照明装置で示すように、六角形体の形状・寸法は、縦２５０ｍｍ、横２５０ｍｍ、高さ４５０ｍｍの長さであって、幅４．１ｍｍの木製の格子を使用して組み立てたさくらの葉の幾何学模様組子と花びら様曲げ模様の組子をもって、六角形体の各２面に異質の組子模様を施し、残り二面に彫刻板を使用した。【００２８】組子は、図２Ａのようなさくらの葉模様と花びら様曲げ模様で、六角形体の二面にそれぞれ組み込み、照明の光源の白熱電球からの放出される光を周辺の壁面に投影できるような構造であって、六角形体の内部に当該光源を取り付けて、該装置を、部屋内の設置型で使用できるようにしている組子付四角形体型照明装置にした。【００２９】六角形の形状であって、４面に格子の組子模様にして、六角形体の内部に照明の光源にして、前記光源から放される光を周辺の照明できるような構造になって、四角形形状は、縦２５０ｍｍ、横２５０ｍｍ、高さ４５０ｍｍであって、幅４ｍｍの木製の格子を組み立てたさくらの葉の花びら様曲げ模様の組子模様と彫刻板とをもって、六角形形状の２面に異質の前記の組子模様を施した。
【実施例４】
【００３０】実施例１と同様なものを、図５に示すように吊り下げ用照明装置として製作して、廊下に吊り下げた。
【符号の説明】
【００３１】１．枠体
２．格子組子
３．組子模様
４．光源
５．照明面
６．彫刻した板
７．吊り下げ紐
８．曲げ模様
９．幾何学模様
１０．照明装置
１１．天板部
１２．脚板部
１３．枠体部
１４．底板部
【図１】
0003203991.tif 000003
【図２】
0003203991.tif 000004
【図３】
0003203991.tif 000005
【図４】
0003203991.tif 000006
【図５】
0003203991.tif 000007
【手続補正書】
【提出日】平成28年2月5日(2016.2.5)
【手続補正１】
【補正対象書類名】実用新案登録請求の範囲
【補正対象項目名】全文
【補正方法】変更
【補正の内容】
【実用新案登録請求の範囲】
【請求項１】
多角形の形状の照明器具の装飾側面において、当該側面の１〜９面に格子の組子模様に、残り他面に彫り物板、或はデザイン性を持たせた格子を並べた板にして、多角形体の内部に照明の光源を置いて、前記光源から放される光を周辺の照明できるような構造になって、多角形形状は、縦、横、高さの長さがそれぞれ２００〜１８００ｍｍであって、幅０．６〜１５ｍｍの樹脂製、又は木製、金属製の格子を組み立てた、曲り模様、並びに幾何学模様の格子組子体をもって、多角形形状の各１〜９面に同一、又は異質の前記模様の組子体を組み入れていることを特徴とする組子格子面を持つ型照明装置。
【請求項２】
放出される光を周辺に照明できるような構造として、照明の光源は発光性の高い、ＬＥＤ，白熱電球、蛍光電球から選ばれたものであって、多角形状体の内部に当該光源を取り付けて、当該装置を、部屋、ロビー、廊下、手洗い場に置いて、飾り照明、又はスタンド、又は室内照明として、吊り下げ型、又は壁掛け型、又はスタンド式設置型で使用できるようにして、照明の光源によって放出される光を周辺に照明できる前記構造は、多角形状体の中心上に光源が設置されていることを特徴とする請求項１に記載の組子格子面を持つ型照明装置。
【請求項３】
格子組子体は、曲り模様、並びに幾何学模様であって、曲り模様として、１５〜３６０°の角度の屈曲させた組子形態である花の花びら様で、また幾何学模様として、麻の葉模様、胡麻殼模様、桜模様、植江模様、紗綾形崩し模様、井筒割菱模様、割菱つなぎ模様、三重菱模様、千本格子模様、升格子模様、青海波模様、七宝模様の中から選ばれた１〜６種類で、多角形状体の照明装置における装飾側面の１〜９面にそれぞれ組み込まれて、多角形状体として三角体、四角体、五角体、六角体、八角体から選ばれた立体形状体であることを特徴とする請求項１又は請求項２に記載の組子格子面を持つ型照明装置。
【請求項４】
組子格子面を持つ型照明装置における装飾側面の１〜９面にそれぞれ組み込まれている、０．６〜１０ｍｍの木製格子を組み立てた、曲り模様、並びに幾何学模様の技巧的格子組子体は、破損、または埃の付着防止のために、０．３〜５ｍｍの透明性のガラス、又は樹脂によって保護されて、組子を嵌め込まれていない他の多角形状面においては、特徴ある木目を持たせ装飾性木製板、あるいは彫刻を彫り込んでいる木製板を装飾側面の１〜７面にしていることを特徴とする請求項１〜請求項３のいずれかに記載の組子格子面を持つ型照明装置。